(57)【要約】【課題】  トラバースメカが昇降するタイプの装置において、挿入されたディスクの挙動を安定させることができ、装置を小型化、薄型化することができるディスク搬送装置を提供すること。【解決手段】  ボトムケース１１０と、ボトムケース１１０に対して昇降自在に支持されたトラバースメカ１２０と、一の端部１２１に設けられ、挿入されたディスク１０１を案内するガイド機構１３０と、他の端部１２２に設けられ、挿入されたディスク１０１を保持するターンテーブル１５０とを備えるようにディスクドライブ１００を構成する。ガイド機構１３０は、ガイドレバー１３１とガイドレバー１３１を付勢するスプリング１３２とを有し、付勢されたガイドレバー１３１が挿入されたディスク１０１の外周に当接することにより挿入されたディスク１０１を案内するようになっている。【選択図】  図１
2006185491.tif 000002
【特許請求の範囲】
【請求項１】
ディスクが挿入される挿入口が形成された筐体と、
前記挿入口に沿って延在する一の端部と前記筐体の中心に位置する他の端部とを有し、前記筐体に対して昇降自在に支持された昇降機構と、
前記一の端部に設けられ、前記挿入されたディスクを案内する案内機構と、
前記他の端部に設けられ、前記挿入されたディスクを保持する保持機構とを備え、
前記案内機構は、前記一の端部に対して移動可能に支持された第１の移動部材と前記第１の移動部材を付勢する第１の付勢部材とを有し、前記付勢された第１の移動部材が前記挿入されたディスクの外周に当接することにより前記挿入されたディスクを案内することを特徴とするディスク搬送装置。
【請求項２】
請求項１に記載のディスク搬送装置において、
前記一の端部に設けられ、前記第１の移動部材の位置を検出する検出手段と、
前記検出された位置に基づいて前記挿入されたディスクの外径を判別する判別手段とを更に備えることを特徴とするディスク搬送装置。
【請求項３】
請求項１又は請求項２に記載のディスク搬送装置において、
前記第１の移動部材は、前記昇降機構が下降位置に移動したときに前記挿入されたディスクに対して直交することを特徴とするディスク搬送装置。
【請求項４】
請求項１から請求項３の何れか一項に記載のディスク搬送装置において、
前記挿入口に沿って設けられ、前記案内機構の案内動作を補助する補助機構を備え、
前記補助機構は、前記筐体に対して移動可能に支持された第２の移動部材と前記第２の移動部材を付勢する第２の付勢部材とを有し、前記付勢された第２の移動部材が前記挿入されたディスクの外周に当接することにより前記挿入されたディスクを案内することを特徴とするディスク搬送装置。
【請求項５】
請求項４に記載のディスク搬送装置において、
前記筐体は、前記昇降機構を収容する深底部と前記深底部に並置された浅底部とを有し、前記深底部及び前記浅底部は、前記第２の移動部材の移動方向に沿って設けられ、
前記第２の移動部材は、前記深底部に摺接する一の片部と前記浅底部に摺接する他の片部とを有し、前記他の片部の先端が前記挿入されたディスクの外周に当接するように設けられたことを特徴とするディスク搬送装置。
【請求項６】
請求項５に記載のディスク搬送装置において、
前記補助機構は、前記他の片部の先端が前記深底部に位置するときに前記他の片部の先端を支持する支持部材を有することを特徴とするディスク搬送装置。
【請求項７】
請求項６に記載のディスク搬送装置において、
前記支持部材は、前記他の片部の先端が前記浅底部に位置するときに前記他の片部の先端から退避することを特徴とするディスク搬送装置。
【発明の詳細な説明】
【技術分野】
【０００１】
本願は、ＣＤ（Compact Disc）、ＤＶＤ（Digital Versatile Disc）などのディスクを搬送するディスク搬送装置の技術分野に属する。
【背景技術】
【０００２】
従来、この種のディスク搬送装置の一例として、ディスクが挿入される挿入口が形成された筐体と、筐体に対して昇降自在に支持されたトラバースメカとを備えるディスク搬送装置が知られている（例えば、特許文献１参照）。
【特許文献１】特開２００３−２６３８５５号公報（第１２頁、第７図）
【発明の開示】
【発明が解決しようとする課題】
【０００３】
しかしながら、上述した従来のディスク搬送装置は、挿入されたディスクを案内する機構が挿入口に設けられていないために、挿入されたディスクの挙動を安定させることが困難であるという事情があった。
【０００４】
そこで、本願は、上述した事情を鑑みてなされたものであり、その課題の一例として、トラバースメカが昇降するタイプの装置において、挿入されたディスクの挙動を安定させることができ、装置を小型化、薄型化することができるディスク搬送装置を提供することを目的とする。
【課題を解決するための手段】
【０００５】
上述した課題を解決するために、請求項１に記載のディスク搬送装置は、ディスクが挿入される挿入口が形成された筐体と、前記挿入口に沿って延在する一の端部と前記筐体の中心に位置する他の端部とを有し、前記筐体に対して昇降自在に支持された昇降機構と、前記一の端部に設けられ、前記挿入されたディスクを案内する案内機構と、前記他の端部に設けられ、前記挿入されたディスクを保持する保持機構とを備え、前記案内機構は、前記一の端部に対して移動可能に支持された第１の移動部材と前記第１の移動部材を付勢する第１の付勢部材とを有し、前記付勢された第１の移動部材が前記挿入されたディスクの外周に当接することにより前記挿入されたディスクを案内することを特徴とする構成を有している。
【発明を実施するための最良の形態】
【０００６】
以下、本願を実施するための最良の形態について、図面を用いて説明する。なお、以下説明する実施形態は、本願に係るディスク搬送装置を、例えば、スロットインタイプのディスクドライブに適用した場合の実施形態を示している。
【０００７】
具体的には、本実施形態におけるディスクドライブは、外径が異なる各種ディスク、例えば、１２ｃｍディスクと８ｃｍディスクとを搬送するように構成されている。
【０００８】
まず、本実施形態におけるディスクドライブの構成について、図１から図８を用いて説明する。なお、図１（ａ）は、本実施形態におけるディスクドライブを示す平面図であり、図１（ｂ）は、本実施形態におけるボトムケース及びトップケースを示す正面図であり、図２（ａ）は、本実施形態におけるトラバースメカを示す平面図であり、図２（ｂ）は、本実施形態におけるトラバースメカを示す側面図であり、図２（ｃ）は、本実施形態におけるトラバースメカを示す側面図であり、図３（ａ）は、本実施形態におけるディスクドライブを示す平面図であり、図３（ｂ）は、本実施形態におけるトラバースメカを示す側面図であり、図４（ａ）は、本実施形態におけるガイド機構を示す正面図であり、図４（ｂ）は、本実施形態におけるガイド機構を示す正面図であり、図５（ａ）は、本実施形態におけるガイド機構及びスイッチを示す平面図であり、図５（ｂ）は、本実施形態におけるガイド機構及びスイッチを示す平面図であり、図６（ａ）は、本実施形態におけるガイド機構を示す正面図であり、図６（ｂ）は、本実施形態におけるガイド機構を示す正面図であり、図７（ａ）は、本実施形態におけるガイド機構を示す正面図であり、図７（ｂ）は、本実施形態におけるガイド機構を示す正面図であり、図８（ａ）は、本実施形態におけるボトムケース及びトップケースを示す正面図であり、図８（ｂ）は、本実施形態におけるガイド機構を示す正面図である。
【０００９】
本実施形態におけるディスクドライブ１００は、図１及び図２に示すように、筐体の一例としてのボトムケース１１０及びトップケース１１１と、昇降機構の一例としてのトラバースメカ１２０と、案内機構の一例としてのガイド機構１３０と、補助機構の一例としてのガイド機構１４０と、保持機構の一例としてのターンテーブル１５０と、ディスクを搬送するための図示しない搬送機構と、ディスクを記録再生するためのピックアップ１６０と、検出手段の一例としてのスイッチ１７０と、判別手段の一例としてのＣＰＵ（Central Processing Unit）１８０とを備えている。
【００１０】
ボトムケース１１０は、トラバースメカ１２０を収容する深底部１１２と、深底部１１２に並置された浅底部１１３とを有し、トップケース１１１によって閉塞されている。このように構成されたディスクドライブ１００は、所謂、スリムタイプのディスクドライブであり、ボトムケース１１０とトップケース１１１との間には、図３に示すように、ディスク１０１が挿入される挿入口１１４が形成されている。
【００１１】
トラバースメカ１２０は、挿入口１１４に沿って延在する一の端部１２１と、ボトムケース１１０の中心に位置する他の端部１２２とを有し、ボトムケース１１０に対して昇降自在に支持されている。具体的には、トラバースメカ１２０は、ビス、ブッシュなどによって構成された連結部材１２３を介してボトムケース１１０に連結され、連結部材１２３を支点にして、水平に位置する上昇位置（図２（ｂ）参照）と所定角度αだけ傾斜する下降位置（図２（ｃ）参照）とに回動するようになっている。
【００１２】
ガイド機構１３０は、トラバースメカ１２０の一の端部１２１に設けられ、図３に示すように、挿入されたディスク１０１を案内するようになっている。具体的には、ガイド機構１３０は、トラバースメカ１２０の一の端部１２１に対して移動可能に支持された第１の移動部材の一例としてのガイドレバー１３１と、ガイドレバー１３１を内方に付勢する第１の付勢部材の一例としてのスプリング１３２とを有し、付勢されたガイドレバー１３１が挿入されたディスク１０１の外周に当接することにより挿入されたディスク１０１を案内するようになっている。
【００１３】
ガイドレバー１３１は、挿入されたディスク１０１の外周に当接する先端の一例としてのピン１３３を有し、ピン１３３は、トラバースメカ１２０が上昇位置（図２（ｂ）参照）に移動したときに、トラバースメカ１２０に対して所定角度αだけ傾斜するように、即ち、トラバースメカ１２０が下降位置（図２（ｃ）参照）に移動したときに、挿入されたディスク１０１に対して直交するように設けられている。
【００１４】
ガイド機構１４０は、挿入口１１４に沿って設けられ、図３に示すように、ガイド機構１３０の案内動作を補助するようになっている。具体的には、ガイド機構１４０は、ボトムケース１１０に対して移動可能に支持された第２の移動部材の一例としてのガイドレバー１４１と、ガイドレバー１４１を内方に付勢する第２の付勢部材の一例としてのスプリング１３２とを有し、付勢されたガイドレバー１４１が挿入されたディスク１０１の外周に当接することにより挿入されたディスク１０１を案内するようになっている。
【００１５】
ガイドレバー１４１は、図４に示すように、ボトムケース１１０の深底部１１２に摺接する一の片部１４２と、ボトムケース１１０の浅底部１１３に摺接する他の片部１４３と、挿入されたディスク１０１の外周に当接する先端の一例としてのピン１４４とを有し、クランク状に形成されている。そして、ボトムケース１１０の深底部１１２及び浅底部１１３は、ガイドレバー１４１の移動方向に沿って設けられている。
【００１６】
また、ガイド機構１４０は、ガイドレバー１４１のピン１４４を支持する支持部材の一例としてのスライダ１４５と、スライダ１４５を外方に付勢する第３の付勢部材の一例としてのスプリング１４６とを有し、付勢されたスライダ１４５は、ガイドレバー１４１のピン１４４がボトムケース１１０の深底部１１２に位置するとき（図４（ａ）参照）に、ガイドレバー１４１のピン１４４を下方から支持するとともに、ガイドレバー１４１のピン１４４が浅底部１１３に位置するとき（図４（ｂ）参照）に、ガイドレバー１４１のピン１４４の下方から退避するようになっている。
【００１７】
ターンテーブル１５０は、トラバースメカ１２０の他の端部１２２に設けられ、トラバースメカ１２０が上昇位置（図２（ｂ）参照）に回動したときに、挿入されたディスク１０１の内周に係合することにより挿入されたディスク１０１を保持するようになっている。
【００１８】
搬送機構は、レバー、ローラ、ギアなどの部材によって構成され、トラバースメカ１２０が下降位置（図２（ｃ）参照）に回動したときに、挿入されたディスク１０１の外周に当接することにより挿入されたディスク１０１を搬送するようになっている。
【００１９】
スイッチ１７０は、トラバースメカ１２０の一の端部１２１に設けられ、ガイドレバー１３１の位置を検出するようになっている。具体的には、ガイドレバー１３１は、挿入されたディスク１０１の外径に応じて左右方向に移動し、スイッチ１７０は、ガイドレバー１３１が挿入口１１４の左端に移動したとき（図５（ａ）参照）に、オンするとともに、ガイドレバー１３１が挿入口１１４の左端から移動したとき（図５（ｂ）参照）に、オフするようになっている。
【００２０】
ＣＰＵ１８０は、ガイドレバー１３１の位置、即ち、スイッチ１７０のオン／オフに基づいて、挿入されたディスク１０１の外径、即ち、１２ｃｍディスクであるか８ｃｍディスクであるかを判別するようになっている。そして、ＣＰＵ１８０は、ディスクの判別結果に基づいて、ディスクの搬送動作を制御するようになっている。
【００２１】
以上説明したように、本実施形態では、ディスクドライブ１００は、ディスクが挿入される挿入口１１４が形成されたボトムケース１１０と、挿入口１１４に沿って延在する一の端部１２１とボトムケース１１０の中心に位置する他の端部１２２とを有し、ボトムケース１１０に対して昇降自在に支持されたトラバースメカ１２０と、一の端部１２１に設けられ、挿入されたディスク１０１を案内するガイド機構１３０と、他の端部１２２に設けられ、挿入されたディスク１０１を保持するターンテーブル１５０とを備え、ガイド機構１３０は、一の端部１２１に対して移動可能に支持されたガイドレバー１３１とガイドレバー１３１を付勢するスプリング１３２とを有し、付勢されたガイドレバー１３１が挿入されたディスク１０１の外周に当接することにより挿入されたディスク１０１を案内することを特徴とする構成を有している。
【００２２】
この構成により、本実施形態では、挿入されたディスク１０１を案内するガイド機構１３０が、トラバースメカ１２０の一の端部１２１に設けられているので、トラバースメカ１２０が昇降するタイプの装置において、挿入されたディスクの挙動を安定させることができ、装置を小型化、薄型化することができる。
【００２３】
また、本実施形態では、ディスクドライブ１００は、一の端部１２１に設けられ、ガイドレバー１３１の位置を検出するスイッチ１７０と、検出された位置に基づいて挿入されたディスク１０１の外径を判別するＣＰＵ１８０とを更に備えることを特徴とする構成を有している。
【００２４】
この構成により、本実施形態では、ガイドレバー１３１の位置を検出するスイッチ１７０が、トラバースメカ１２０の一の端部１２１に設けられているので、トラバースメカ１２０が昇降するタイプの装置において、挿入されたディスクの外径を判別することができ、外径が異なる各種ディスクを搬送することができる。
【００２５】
また、本実施形態では、ガイドレバー１３１のピン１３３は、トラバースメカ１２０が下降位置に移動したときに挿入されたディスク１０１に対して直交することを特徴とする構成を有している。
【００２６】
この構成により、本実施形態では、ガイドレバー１３１のピン１３３が、挿入されたディスク１０１に対して直交するので、挿入されたディスクを正確に案内することができる。
【００２７】
また、本実施形態では、ディスクドライブ１００は、挿入口１１４に沿って設けられ、ガイド機構１３０の案内動作を補助するガイド機構１４０を備え、ガイド機構１４０は、ボトムケース１１０に対して移動可能に支持されたガイドレバー１４１とガイドレバー１４１を付勢するスプリング１３２とを有し、付勢されたガイドレバー１４１が挿入されたディスク１０１の外周に当接することにより挿入されたディスク１０１を案内することを特徴とする構成を有している。
【００２８】
この構成により、本実施形態では、ガイド機構１３０の案内動作を補助するガイド機構１４０が、挿入口１１４に沿って設けられているので、挿入されたディスクの挙動を確実に安定させることができる。
【００２９】
また、本実施形態では、ボトムケース１１０は、トラバースメカ１２０を収容する深底部１１２と深底部１１２に並置された浅底部１１３とを有し、深底部１１２及び浅底部１１３は、ガイドレバー１４１の移動方向に沿って設けられ、ガイドレバー１４１は、深底部１１２に摺接する一の片部１４２と浅底部１１３に摺接する他の片部１４３とを有し、ピン１４４が挿入されたディスク１０１の外周に当接するように設けられたことを特徴とする構成を有している。
【００３０】
この構成により、本実施形態では、ガイドレバー１４１が深底部１１２及び浅底部１１３に沿って移動するので、ボトムケース１１０に深底部１１２及び浅底部１１３が設けられた場合であっても、挿入されたディスクの挙動を安定させることができる。
【００３１】
また、本実施形態では、ガイド機構１４０は、ピン１４４が深底部１１２に位置するときにピン１４４を支持するスライダ１４５を有することを特徴とする構成を有している。
【００３２】
この構成により、本実施形態では、ピン１４４が深底部１１２に位置するときにスライダ１４５がピン１４４を支持するので、ピン１４４が片持ち状態になることを防止することができる。
【００３３】
また、本実施形態では、スライダ１４５は、ピン１４４が浅底部１１３に位置するときにピン１４４から退避することを特徴とする構成を有している。
【００３４】
この構成により、本実施形態では、ピン１４４が浅底部１１３に位置するときにスライダ１４５がピン１４４から退避するので、ピン１４４の移動距離を大きく設定することができる。
【００３５】
なお、本実施形態では、図４に示すように、ガイドレバー１４１のピン１４４の位置に応じてスライダ１４５が移動するように構成されているが、これに限らず、図６に示すように、ボトムケース１１０の深底部１１２にスライダ１４７を固定するように構成されてもよい。
【００３６】
また、本実施形態では、図４に示すように、スライダ１４５によってガイドレバー１４１のピン１４４を支持するように構成されているが、これに限らず、図７に示すように、ボトムケース１１０の浅底部１１３によってガイドレバー１４１のピン１４４を支持するように構成されてもよい。
【００３７】
また、本実施形態では、図１（ｂ）に示すように、ボトムケース１１０に浅底部１１３を設けるように構成されているが、これに限らず、図８（ａ）に示すように、ボトムケース１１０に浅底部１１３を設けないように構成されてもよい。この場合には、図８（ｂ）に示すように、プレート状に形成されたガイドレバー１４８を設け、スライダ１４５及びスプリング１４６を不要にすることができる。
【００３８】
また、本実施形態では、第１の付勢部材及び第２の付勢部材は、同一のスプリング１３２によって構成されているが、これに限らず、別々のスプリングによって構成されてもよい。
【００３９】
また、本実施形態では、スプリング１３２及びスプリング１４６は、引張バネであってもよく、圧縮バネであってもよい。
【図面の簡単な説明】
【００４０】
【図１】（ａ）は、本願の一実施形態におけるディスクドライブを示す平面図であり、（ｂ）は、本願の一実施形態におけるボトムケース及びトップケースを示す正面図である。
【図２】（ａ）は、本願の一実施形態におけるトラバースメカを示す平面図であり、（ｂ）は、本願の一実施形態におけるトラバースメカを示す側面図であり、（ｃ）は、本願の一実施形態におけるトラバースメカを示す側面図である。
【図３】（ａ）は、本願の一実施形態におけるディスクドライブを示す平面図であり、（ｂ）は、本実施形態におけるトラバースメカを示す側面図である。
【図４】（ａ）は、本願の一実施形態におけるガイド機構を示す正面図であり、（ｂ）は、本願の一実施形態におけるガイド機構を示す正面図である。
【図５】（ａ）は、本願の一実施形態におけるガイド機構及びスイッチを示す平面図であり、（ｂ）は、本願の一実施形態におけるガイド機構及びスイッチを示す平面図である。
【図６】（ａ）は、本願の一実施形態におけるガイド機構を示す正面図であり、（ｂ）は、本願の一実施形態におけるガイド機構を示す正面図である。
【図７】（ａ）は、本願の一実施形態におけるガイド機構を示す正面図であり、（ｂ）は、本願の一実施形態におけるガイド機構を示す正面図である。
【図８】（ａ）は、本願の一実施形態におけるボトムケース及びトップケースを示す正面図であり、（ｂ）は、本願の一実施形態におけるガイド機構を示す正面図である。
【符号の説明】
【００４１】
１００  ディスクドライブ
１０１  ディスク
１１０  ボトムケース
１１１  トップケース
１１２  深底部
１１３  浅底部
１１４  挿入口
１２０  トラバースメカ
１２１  一の端部
１２２  他の端部
１２３  連結部材
１３０  ガイド機構
１３１  ガイドレバー
１３２  スプリング
１３３  ピン
１４０  ガイド機構
１４１  ガイドレバー
１４２  一の片部
１４３  他の片部
１４４  ピン
１４５  スライダ
１４６  スプリング
１５０  ターンテーブル
１６０  ピックアップ
１７０  スイッチ
１８０  ＣＰＵ
【図１】
2006185491.tif 000003
【図２】
2006185491.tif 000004
【図３】
2006185491.tif 000005
【図４】
2006185491.tif 000006
【図５】
2006185491.tif 000007
【図６】
2006185491.tif 000008
【図７】
2006185491.tif 000009
【図８】
2006185491.tif 000010